(57)【要約】      （修正有）【課題】ポリウレタン発泡樹脂インジェクター補助装置の提供。【解決手段】ハンドル１０、係止ブロック２０、ノズル３０、プルハンドル４０、スプリング５０及びコイルスプリング６０で構成され、ハンドルの受け座１２内に弾性プレッシャーチューブ７２を具えた容器７０が結合され、弾性プレッシャーチューブが受け座底部の貫通孔より突出し、スプリングが受け座の二つの凸耳間に取付られ、第１枢設手段で二つの凸耳、係止ブロック及びスプリングが枢設され、係止ブロックの係止部が受け座の開孔に挿入されて容器のフランジ７３に係止され、ノズルが弾性プレッシャーチューブに結合され、プルハンドルが貫通溝４３でノズルに組付けられ、コイルスプリングがプルハンドルの二つの枢設ブロックの間に設けられ、第２枢設手段が二つの枢設ブロック４１、ハンドル底部のロッド１８の枢設部及びコイルスプリングを通り、全体構造の組立が完成する。【選択図】図２
0003106736.tif 000002
【実用新案登録請求の範囲】
【請求項１】
弾性プレッシャーチューブを具えると共に外側にフランジを具えた容器に上向きに結合され、該容器がポリウレタン発泡樹脂を収容するものとされるポリウレタン発泡樹脂インジェクター補助装置において、
該インジェクタ補助装置はハンドル、係止ブロック、ノズル、プルハンドル、スプリング及びコイルスプリングで構成され、
該ハンドルは、その一側に、収容部を具えた受け座が設けられ、収容部の内部にフランジが設けられ、底端中央に収容部と連通する貫通孔が設けられ、受け座の一側に二つの凸耳が凸設され、二つの凸耳１５の間に収容部と連通する開孔が開設され、開孔の上端に凹溝が凹設され、受け座の一側の底部より下向きにロッドが延伸され、該ロッドの底端に枢設部が設けられ、枢設部の一側より凸部が延伸され、
該係止ブロックは、その一側よりストッパ壁が突出し、別側底端が折り曲げられて係止部が形成され、
該ノズルは、二側にそれぞれ押し棒が凸設され、
該プルハンドルは、一側より二つの枢設ブロックが延伸され、二つの枢設ブロックの間の底端面に凹部が設けられ、プルハンドルの底面に貫通溝が開設され、
組合せ時に、先ず、容器の弾性プレッシャーチューブを下向きに収容部に取り付け、容器のフランジを受け座のフランジに係合させ、並びに弾性プレッシャーチューブを貫通孔より突出させ、ノズルを下から上に弾性プレッシャーチューブに組付け、スプリング及び係止ブロックを二つの凸耳の間に取り付け、第１枢設手段を二つの凸耳、係止ブロック及びスプリングに通して組合せ、並びにスプリングの二端を凹溝とストッパ壁に当接させ、係止ブロックの係止部を開孔に挿入し容器のフランジの端辺に当接させ、プルハンドルを貫通溝で下から上にノズルに嵌合させ、プルハンドルの上端を二つの押し棒底面に当接させ、コイルスプリング及び二つの枢設ブロックを枢設部に嵌合させ、第２枢設手段を二つの枢設ブロック、枢設部及びコイルスプリングに通して組合せ、コイルスプリングの二端を凸部内側及び凹部に係止させ、コイルスプリングの弾力により恒常的に二つの押し棒を押し上げるようにして形成されたことを特徴とする、ポリウレタン発泡樹脂インジェクター補助装置。
【請求項２】
請求項１記載のポリウレタン発泡樹脂インジェクター補助装置において、プルハンドル内部に切欠きを具えた位置決めブロックが設けられ、該切欠きを具えた位置決めブロックがノズルの二つの押し棒を凹溝に位置決めしプルハンドル内部底面に係止するのに供されることを特徴とする、ポリウレタン発泡樹脂インジェクター補助装置。
【請求項３】
請求項１記載のポリウレタン発泡樹脂インジェクター補助装置において、収容部側辺に収容部と連通するネジ孔が開設され、ネジ孔にスクリューを具えた圧迫手段が組付けられ、圧迫手段を回す操作によりスクリューが容器を圧迫することを特徴とする、ポリウレタン発泡樹脂インジェクター補助装置。
【考案の詳細な説明】
【技術分野】
【０００１】
本考案は一種のポリウレタン発泡樹脂インジェクター補助装置に係り、特に使用者が速やかに楽にポリウレタン発泡樹脂を押し出せるようにする技術に関する。
【背景技術】
【０００２】
周知のポリウレタン発泡樹脂は容器１００内に収容され、容器１００の底端より雄ネジ１０１を具えた弾性プレッシャーチューブ１０２が延伸され（図１）、弾性プレッシャーチューブ１０２にノズル２００が螺設され、ノズル２００の上端内部に雌ネジ２０１が設けられて雄ネジ１０１と螺合され、ノズル２００の前、後側より押し棒２０２が延伸されている。使用時には、容器１００を倒立させて弾性プレッシャーチューブ１０２を下向きとし、使用者が手指で押し棒２０２を握持して上向きに押し、これにより弾性プレッシャーチューブ１０２を押圧し、容器１００内のポリウレタン発泡樹脂を弾性プレッシャーチューブ１０２よりノズル２００を通して流出させ、ポリウレタン発泡樹脂を建築施工後の隙間を補填したり建材（門、壁等）の内部空間を補填して強度を増すのに供する。ポリウレタン発泡樹脂の補填使用の場所はさまざまであり、高い所の施工の場合（例えば天井）、使用者の手指がしっかりと押し棒２０２を握持押圧できず、樹脂の流出が間断的となり連続せず、操作使用に相当に手間がかかる。
【考案の開示】
【考案が解決しようとする課題】
【０００３】
本考案の主要な目的は、一種のポリウレタン発泡樹脂インジェクター補助装置を提供することにあり、それは、ハンドル、係止ブロック、ノズル、プルハンドル、スプリング及びコイルスプリングで構成され、ハンドルの受け座内に弾性プレッシャーチューブを具えた容器が結合され、弾性プレッシャーチューブに下向きにノズルが結合され、係止ブロックとスプリングが第１枢設手段を利用して受け座の二つの凸耳間に枢設され、並びにスプリングの二端が係止ブロックのストッパ壁及び二つの凸耳間に設けられた凹溝に当接され、係止ブロックの係止部が受け座の開孔を通り容器のフランジに当接され、容器の受け座からの離脱が防止され、プルハンドルがノズルに組付けられ並びに押し棒に当接され、プルハンドルとコイルスプリングが第２枢設手段を利用してハンドルに設けられたロッドの枢設部に枢設され、並びにコイルスプリングの二端が枢設部の凸部及びプルハンドルの凹部に当接され、プルハンドルを押圧することでノズルに連帯して弾性プレッシャーチューブが上向きに押圧し、容器内のポリウレタン発泡樹脂を弾性プレッシャーチューブよりノズルを通して流出させ、操作使用に便利で楽なものとされている。
【課題を解決するための手段】
【０００４】
請求項１の考案は、弾性プレッシャーチューブを具えると共に外側にフランジを具えた容器に上向きに結合され、該容器がポリウレタン発泡樹脂を収容するものとされるポリウレタン発泡樹脂インジェクター補助装置において、
該インジェクタ補助装置はハンドル、係止ブロック、ノズル、プルハンドル、スプリング及びコイルスプリングで構成され、
該ハンドルは、その一側に、収容部を具えた受け座が設けられ、収容部の内部にフランジが設けられ、底端中央に収容部と連通する貫通孔が設けられ、受け座の一側に二つの凸耳が凸設され、二つの凸耳１５の間に収容部と連通する開孔が開設され、開孔の上端に凹溝が凹設され、受け座の一側の底部より下向きにロッドが延伸され、該ロッドの底端に枢設部が設けられ、枢設部の一側より凸部が延伸され、
該係止ブロックは、その一側よりストッパ壁が突出し、別側底端が折り曲げられて係止部が形成され、
該ノズルは、二側にそれぞれ押し棒が凸設され、
該プルハンドルは、一側より二つの枢設ブロックが延伸され、二つの枢設ブロックの間の底端面に凹部が設けられ、プルハンドルの底面に貫通溝が開設され、
組合せ時に、先ず、容器の弾性プレッシャーチューブを下向きに収容部に取り付け、容器のフランジを受け座のフランジに係合させ、並びに弾性プレッシャーチューブを貫通孔より突出させ、ノズルを下から上に弾性プレッシャーチューブに組付け、スプリング及び係止ブロックを二つの凸耳の間に取り付け、第１枢設手段を二つの凸耳、係止ブロック及びスプリングに通して組合せ、並びにスプリングの二端を凹溝とストッパ壁に当接させ、係止ブロックの係止部を開孔に挿入し容器のフランジの端辺に当接させ、プルハンドルを貫通溝で下から上にノズルに嵌合させ、プルハンドルの上端を二つの押し棒底面に当接させ、コイルスプリング及び二つの枢設ブロックを枢設部に嵌合させ、第２枢設手段を二つの枢設ブロック、枢設部及びコイルスプリングに通して組合せ、コイルスプリングの二端を凸部内側及び凹部に係止させ、コイルスプリングの弾力により恒常的に二つの押し棒を押し上げるようにして形成されたことを特徴とする、ポリウレタン発泡樹脂インジェクター補助装置としている。
請求項２の考案は、請求項１記載のポリウレタン発泡樹脂インジェクター補助装置において、プルハンドル内部に切欠きを具えた位置決めブロックが設けられ、該切欠きを具えた位置決めブロックがノズルの二つの押し棒を凹溝に位置決めしプルハンドル内部底面に係止するのに供されることを特徴とする、ポリウレタン発泡樹脂インジェクター補助装置としている。
請求項３の考案は、請求項１記載のポリウレタン発泡樹脂インジェクター補助装置において、収容部側辺に収容部と連通するネジ孔が開設され、ネジ孔にスクリューを具えた圧迫手段が組付けられ、圧迫手段を回す操作によりスクリューが容器を圧迫することを特徴とする、ポリウレタン発泡樹脂インジェクター補助装置としている。
【考案の効果】
【０００５】
本考案のインジェクタ補助装置の収容部内にはポリウレタン発泡樹脂を収容した容器が取り付けられ、掌でハンドルを握持し、手指でプルハンドルを押圧して回してプルハンドルに押し棒を当接させ、ノズルに連帯させて弾性プレッシャーチューブを上に押し上げれば、容器内のポリウレタン発泡樹脂を流出させて、建築施工場所の隙間（窓枠と壁との接続部分の隙間、エアコンと壁の隙間等）及び建材（ドア、中間板等）の内部の空間を補填するのに供することができ、操作押圧が相当に安定し且つ楽に行なえ、使用に便利であり、高いところ（例えば天井）の施工にも適合する。
【考案を実施するための最良の形態】
【０００６】
図２、３、４に示されるように、本考案のインジェクタ補助装置Ａはハンドル１０、係止ブロック２０、ノズル３０、プルハンドル４０、スプリング５０及びコイルスプリング６０で構成され、インジェクタ補助装置Ａは上向きに内部にポリウレタン発泡樹脂を収容した容器７０に組付けられ、容器７０の底部より雄ネジ７１を具えた弾性プレッシャーチューブ７２が突出し、容器７０の外側にフランジ７３が設けられている。
【０００７】
該ハンドル１０は、その一側に、収容部１１を具えた受け座１２が設けられ、収容部１１の内部にフランジ１３（図５参照）が設けられ、底端中央に収容部１１と連通する貫通孔１４が設けられ（図４）、受け座１２の一側に二つの凸耳１５が凸設され、二つの凸耳１５の間に収容部１１と連通する開孔１６が開設され、開孔１６の上端に凹溝１７が凹設され、受け座１２の一側の底部より下向きにロッド１８が延伸され、該ロッド１８の底端に枢設部１８１が設けられ、枢設部１８１の一側より凸部１８２が延伸されている。
【０００８】
該係止ブロック２０は、その一側よりストッパ壁２１が突出し、別側底端が折り曲げられて係止部２２が形成されている。
【０００９】
該ノズル３０は、その上端内部に雌ネジ３１が設けられ、二側にそれぞれ押し棒３２が凸設されている。
【００１０】
該プルハンドル４０は、その一側より二つの枢設ブロック４１が延伸され、二つの枢設ブロック４１の間の底端面に凹部４２が設けられ（図４）、プルハンドル４０の底面に貫通溝４３が開設され、内部に切欠き４４を具えた位置決めブロック４５が設けられている。
【００１１】
組合せ時には、先ず、容器７０を受け座１２の収容部１１内に取り付け、フランジ７３をフランジ１３に当接させ（図５）、並びに弾性プレッシャーチューブ７２を貫通孔１４より突出させ、続いてノズル３０を雌ネジ３１で弾性プレッシャーチューブ７２の雄ネジ７１に螺合させ、更に係止ブロック２０とスプリング５０を二つの凸耳１５の間に取り付け、第１枢設手段Ｓ１を二つの凸耳１５、係止ブロック２０及びスプリング５０に通して組み合わせ、スプリング５０の二端をストッパ壁２１及び凹溝１７に当接させ、並びに係止ブロック２０の係止部２２を開孔１６に通し、スプリング５０の弾性により係止部２２を容器７０のフランジ１３端辺に押し当て（図６）、容器７０が上向きに収容部１１より脱出するのを防止し、容器７０を強固に収容部１１内に組み付ける。続いてプルハンドル４０を貫通溝４３により下から上にノズル３０と嵌合させ、プルハンドル４０の上端をノズル３０の押し棒３２に当接させ、さらにコイルスプリング６０及びプルハンドル４０の二つの枢設ブロック４１をロッド１８の枢設部１８１に嵌合させ、並びに第２枢設手段Ｓ２を二つの枢設ブロック４１、枢設部１８１、及びコイルスプリング６０に通して組み合わせ、並びにコイルスプリング６０の二端を凸部１８２内側面及び凹部４２に係止させ（図７）、コイルスプリング６０の弾力によりプルハンドル４０が恒常的に上向きにノズル３０の二つの押し棒３２を支持するようにし、これにより全体のインジェクタ補助装置Ａを完成する（図８）。
【００１２】
使用実施時には、ノズル３０底端にスリーブ３３（図８）を組み合わせ、更に手指をプルハンドル４０の底面に当て、上向きにプルハンドル４０を圧縮するよう回し（図９）、プルハンドル４０に上向きに押し棒３２を支持させ、ノズル３０に連帯させ弾性プレッシャーチューブ７２を押し上げ（図１０）、容器７０内のポリウレタン発泡樹脂を弾性プレッシャーチューブ７２よりノズル３０、スリーブ３３を通し流出させる（図８、１０）。プルハンドル４０を押圧する力を解除すると、プルハンドル４０はコイルスプリング６０の弾力によりもとの位置に回復し、弾性プレッシャーチューブ７２は自身の弾力作用によりノズル３０を連帯させて下向きにもとの位置に戻る（弾性プレッシャーチューブ７２は周知の容器に使用される部品であり、本考案の請求の特徴ではないため、構造については説明を省略する）。容器７０内のポリウレタン発泡樹脂の使用が完了して容器７０を交換したい時は、係止ブロック２０を押圧してスプリング５０の弾力を克服し、係止ブロック２０を第１枢設手段Ｓ１を中心として回し、係止部２２を容器７０のフランジ７３端辺より離脱させ（図１１）、更に容器７０を回して弾性プレッシャーチューブ７２の雄ネジ７１とノズル３０の雌ネジ３１を分離させれば、容器７０を収容部１１より取り出せ、新しい容器７０に交換できる。
【００１３】
本考案のハンドル１０の上面に止滑のトップカバー１９を結合させ被覆でき、掌での握持を更に快適でしっかりと行なえるようにすることができる（図８、９）。該プルハンドル４０は異なる形式のノズル３０を押すのに適用可能で、異なる形式のノズル３０の二側にそれぞれ押し棒３２が凸設され（図１２では二つの押し棒３２は図１に示される周知のノズル２００の二つの押し棒２０２を短く切って形成されている）、この二つの押し棒３２はそれぞれプルハンドル４０内部に収容された位置決めブロック４５の切欠き４４と収容されてプルハンドル４０内部底面に係止され、同様にプルハンドル４０を押圧して上向きにノズル３０を押し上げることで、弾性プレッシャーチューブ７２を押圧してポリウレタン発泡樹脂を流出させる目的を達成できる。
【００１４】
本考案の収容部１１の側辺には収容部１１と連通するネジ孔１１１が開設され（図２）、ネジ孔１１１はスクリュー８１を具えた圧迫手段８０の螺設に供され、スクリュー８１がネジ孔１１１に螺設された後に端縁がＣ形スナップリングで係止されて圧迫手段８０のネジ孔１１１からの離脱が防止され、容器７０を収容部１１内に取り付けた時、圧迫手段８０を回してスクリュー８１に容器７０外側を圧迫させ（図５、９）、容器７０をしっかりと収容部１１中に組み付けることができる。容器７０を取り出したい時は、スクリュー８１を反対に回して容器７０より離せば容器７０を収容部１１より取り出せる。
【００１５】
本考案は以上の構造で構成され、周知の技術と較べて確実に以下のような機能が増されている。
【００１６】
本考案のインジェクタ補助装置Ａの収容部１１内にはポリウレタン発泡樹脂を収容した容器７０が取り付けられ、掌でハンドル１０を握持し、手指でプルハンドル４０を押圧して回してプルハンドル４０に押し棒３２を当接させ、ノズル３０に連帯させ弾性プレッシャーチューブ７２を上に押し上げれば、容器７０内のポリウレタン発泡樹脂を流出させて、建築施工場所の隙間（窓枠と壁との接続部分の隙間、エアコンと壁の隙間等）及び建材（ドア、中間板等）の内部の空間を補填するのに供することができ、操作押圧が相当に安定し且つ楽に行なえ、使用に便利であり、高いところ（例えば天井）の施工にも適合する。
【００１７】
総合すると、本考案は確実に予期された使用目的と効果を達成し、且つ周知の技術に較べて進歩性、実用性が向上されている。また本考案の出願前に同じ特徴の同類物品は見られず、空間形態上、新規性を有している。
【図面の簡単な説明】
【００１８】
【図１】周知の技術の立体分解図である。
【図２】本考案の立体分解図である。
【図３】本考案の部分立体分解図である。
【図４】本考案の別の部分立体分解図である。
【図５】本考案の組合せ断面図である。
【図６】本考案の部分組合せ断面拡大図である（係止ブロック、受け座と容器）。
【図７】本考案の別の部分組合せ断面拡大図である（ロッド、プルハンドル及びノズル）。
【図８】本考案の組合せ立体外観図である。
【図９】本考案の組合せ断面動作表示図である。
【図１０】本考案の部分組合せ断面使用動作表示図である。
【図１１】本考案の別の部分組合せ断面使用動作表示図である。
【図１２】本考案の別の使用実施立体外観図である。
【符号の説明】
【００１９】
１００  容器          １０１  雄ネジ        １０２  弾性プレッシャーチューブ
２００  ノズル        ２０１  雌ネジ        ２０２  押し棒
１０  ハンドル        １１  収容部          １１１  ネジ孔
１２  受け座          １３  フランジ        １４  貫通孔
１５  凸耳            １６  開孔            １７  凹溝
１８  ロッド          １８１  枢設部        １８２  凸部
２０  係止ブロック    ２１  ストッパ壁      ２２  係止部
３０  ノズル          ３１  雌ネジ          ３２  押し棒
３３  スリーブ        ４０  プルハンドル    ４１  枢設ブロック
４２  凹部            ４３  貫通溝          ４４  切欠き
４５  位置決めブロック    ５０  スプリング  ６０  コイルスプリング
７０  容器            ７２  弾性プレッシャーチューブ
７３  フランジ        ８０  圧迫手段
８１  スクリュー      Ａ  インジェクタ補助装置
Ｓ１  第１枢設手段    Ｓ２  第２枢設手段
【図１】
0003106736.tif 000003
【図２】
0003106736.tif 000004
【図３】
0003106736.tif 000005
【図４】
0003106736.tif 000006
【図５】
0003106736.tif 000007
【図６】
0003106736.tif 000008
【図７】
0003106736.tif 000009
【図８】
0003106736.tif 000010
【図９】
0003106736.tif 000011
【図１０】
0003106736.tif 000012
【図１１】
0003106736.tif 000013
【図１２】
0003106736.tif 000014